(57)【要約】【課題】  嵩比重の低いフィルム系処理物が多量に投入されても、回転ロータに大きな負荷が作用して停止、逆転を繰り返すといったことを防止し、それによって、装置としての可動率の低下を防止することが可能な破砕装置を提供すること。【解決手段】  回転刃プレートの片側側面にエッジプレートを取り付けて、上記回転刃プレートのエッジプレートが取り付けられていない側においては回転刃プレートによる剪断又は破砕が行われ、上記回転刃プレートのエッジプレートが取り付けられている側においては上記回転刃プレートによる剪断又は破砕に加えて上記エッジプレートによる剪断又は破砕が行われるようにしたもの。【選択図】  図２  
2005230636.tif 000002
【特許請求の範囲】
【請求項１】
回転駆動されるシャフトに刃部を備えた複数枚の回転刃プレートを所定の間隔で取り付けてなるロータを少なくとも２つ平行に配置し、一方のロータの回転刃プレートが他方のロータの回転刃プレート間に位置するようにし、上記ロータ上に投入された被破砕処理物を回転する回転刃プレートによって剪断又は破砕するように構成された破砕装置において、
上記回転刃プレートの片側側面にエッジプレートを取り付けて、
上記回転刃プレートのエッジプレートが取り付けられていない側においては回転刃プレートによる剪断又は破砕が行われ、
上記回転刃プレートのエッジプレートが取り付けられている側においては上記回転刃プレートによる剪断又は破砕に加えて上記エッジプレートによる剪断又は破砕が行われるようにしたことを特徴とする破砕装置。
【請求項２】
請求項１記載の破砕装置において、
上記少なくとも２つのロータにあって、一方のロータの回転刃プレートに取り付けられたエッジプレートと他方のロータの回転刃プレートに取り付けられたエッジプレートが摺接するように上記少なくとも２つのロータを逆向きに配置させるようにしたことを特徴とする破砕装置。
【請求項３】
請求項１又は請求項２記載の破砕装置において、
上記エッジプレートにフック部を設け、該フック部が上記回転刃プレートの刃部の基部に位置するように上記エッジプレートを上記回転刃プレートに取り付け、それによって、回転刃プレートの刃部の基部の摩耗を低減させるようにしたことを特徴とする破砕装置。
【請求項４】
請求項１〜請求項３の何れかに記載の破砕装置において、
上記エッジプレートには取付用雌螺子部が形成されていて、又、上記回転刃プレートには取付用貫通穴が形成されていて、上記取付用貫通孔にボルトを通して上記エッジプレートの取付用雌螺子部に螺合させることによりエッジプレートを回転刃プレートに締結・固定するようにしたことを特徴とする破砕装置。
【請求項５】
請求項１〜請求項４の何れかに記載の破砕装置において、
上記エッジプレートを上記回転刃プレートの外周円筒面より僅かに突出させた状態で取り付けるようにしたことを特徴とする破砕装置。
【請求項６】
請求項１〜請求項５の何れかに記載の破砕装置において、
上記ロータの回転刃プレート間には受刃が取り付けられていて、該受刃が対向するロータの回転刃プレートに対向することを特徴とする破砕装置。
【発明の詳細な説明】
【技術分野】
【０００１】
本発明は、破砕装置に係り、特に、廃プラスチックや廃フィルムシート類等、嵩張った被破砕処理物（例えば、嵩比重が０．０８以下のもの）が多量に投入された場合であっても、運転停止や逆転を頻発することなく安定した破砕動作が行われるように工夫したものに関する。
【背景技術】
【０００２】
この種の破砕装置を開示するものとして、例えば、特許文献１、特許文献２、特許文献３、特許文献４、特許文献５、特許文献６等がある。
【０００３】
【特許文献１】特開昭５１−５６５５号公報
【特許文献２】実開昭５５−４３５８１号公報
【特許文献３】実開昭５８−７３３５４号公報
【特許文献４】実開平４−１３１４４３号公報
【特許文献５】実開平４−１３１４４４号公報
【特許文献６】特開２００１−３３４１５９号公報
【０００４】
上記特許文献１には、二軸破砕機が開示されていて、そこに使用されている回転ロータディスクの両側面には、バンドブレードが取り付けられていて、カッタを所定位置に保持するように構成されている。
又、上記特許文献２には、二軸一対のロータを二対配置して二段構成とした破砕機が開示されていて、そこに使用されている回転ロータディスクの片側の側面には、スリット刃が取り付けられている。
又、上記特許文献３には、回転ロータディスクの両側面にサイドブレードが取り付けられていて、該サイドブレードの内側面にライナを着脱自在に取り付けた構成の破砕機が開示されている。
又、上記特許文献４には、二軸破砕機が開示されていて、そこに使用されている切断刃は周方向に分割されたものとなっている。
又、上記特許文献５には、二軸破砕機が開示されていて、そこに使用されている切断刃は軸方向に分割されたものとなっている。
又、上記特許文献６には、二軸破砕機が開示されていて、そこに使用されている回転刃プレートの刃先円は夫々のロータで異なっているものである。
尚、この特許文献６は、本件特許出願人によるものである。
【発明の開示】
【発明が解決しようとする課題】
【０００５】
上記従来の構成によると次のような問題があった。
すなわち、上記何れの破砕装置の場合にも、複数枚の剪断刃が軸方向に沿って配置されているため、嵩比重の低いフィルム系処理物が多量に投入されると、回転ロータに大きな負荷が作用してしまい、その結果、運転停止、逆転を繰り返すことになってしまい、その結果、円滑な破砕動作が損なわれて装置としての稼動率が低下してしまうという問題があった。
又、このような問題に対して、例えば、ロータディスクの両側面にサイドブレードを取り付けているものがあるが（特許文献１、特許文献３）、その場合には、新たに、次のような問題が発生してしまうことになる。
まず、異物混入時における通過量が減少してしまうという問題があった。これは、ロータディスクの両側面にサイドブレードを取り付けて隙間が狭くなっているからである。又、駆動負荷が増大してしまうという問題もあった。又、ロータディスクの両側面にサイドブレードが取り付けられているので、交換作業等の保守・点検作業に多くの労力と長い時間を要してしまうという問題もあった。又、サイドブレードは消耗品であり、これを定期的に交換することになると、その数が多いことに起因したコスト的な問題もあった。又、通常２本のロータを平行に配置することになるが、その際、ロータディスクの両側面にサイドブレードを取り付ける構成であると、夫々のロータが非共通部品となってしまい、それによって、コストが上昇してしまうという問題があった。
又、特許文献２記載の発明の場合には、ロータディスクの片面にサイドブレードを取り付けるタイプのものであるが、この場合は、サイドブレードが取り付けられていない側には大きな隙間が形成されていて、破砕には何等寄与しない空間になっており、その代わり二段構成になっているものである。したがって、ロータの両側面にサイドブレードを取り付ける場合の不具合は解消されるものの、二段構成になっている関係で、装置が大型化してしまうという問題があった。
【０００６】
本発明はこのような点に基づいてなされたものでその目的とするところは、嵩比重の低いフィルム系処理物が多量に投入されても、回転ロータに大きな負荷が作用して運転停止、逆転を繰り返すといったことを防止し、それによって、装置としての可動率の低下を防止することが可能な破砕装置を提供することにある。
【課題を解決するための手段】
【０００７】
上記目的を達成するべく本願発明の請求項1による破砕装置は、回転駆動されるシャフトに刃部を備えた複数枚の回転刃プレートを所定の間隔で取り付けてなるロータを少なくとも２つ平行に配置し、一方のロータの回転刃プレートが他方のロータの回転刃プレート間に位置するようにし、上記ロータ上に投入された被破砕処理物を回転する回転刃プレートによって剪断又は破砕するように構成された破砕装置において、上記回転刃プレートの片側側面にエッジプレートを取り付けて、上記回転刃プレートのエッジプレートが取り付けられていない側においては回転刃プレートによる剪断又は破砕が行われ、上記回転刃プレートのエッジプレートが取り付けられている側においては回転刃プレートによる剪断又は破砕に加えて上記エッジプレートによる剪断又は破砕が行われるようにしたことを特徴とするものである。
又、請求項２による破砕装置は、請求項１記載の破砕装置において、上記少なくとも２つのロータにあって、一方のロータの回転刃プレートに取り付けられたエッジプレートと他方のロータの回転刃プレートに取り付けられたエッジプレートが摺接するように上記少なくとも２つのロータを逆向きに配置させるようにしたことを特徴とするものである。
又、請求項３による破砕装置は、請求項１又は請求項２記載の破砕装置において、上記エッジプレートにフック部を設け、該フック部が上記回転刃プレートの刃部の基部に位置するように上記エッジプレートを上記回転刃プレートに取り付け、それによって、回転刃プレートの刃部の基部の摩耗を低減させるようにしたことを特徴とするものである。
又、請求項４による破砕装置は、請求項１〜請求項３の何れかに記載の破砕装置において、上記エッジプレートには取付用雌螺子部が形成されていて、又、上記回転刃プレートには取付用貫通穴が形成されていて、上記取付用貫通孔にボルトを通して上記エッジプレートの取付用雌螺子部に螺合させることによりエッジプレートを回転刃プレートに締結・固定するようにしたことを特徴とするものである。
又、請求項５による破砕装置は、請求項１〜請求項４の何れかに記載の破砕装置において、上記エッジプレートを上記回転刃プレートの外周円筒面より僅かに突出させた状態で取り付けるようにしたことを特徴とするものである。
又、請求項６による破砕装置は、請求項１〜請求項５の何れかに記載の破砕装置において、上記ロータの回転刃プレート間には受刃が取り付けられていて、該受刃が対向するロータの回転刃プレートに対向することを特徴とするものである。
【発明の効果】
【０００８】
以上説明したように、本発明による破砕装置によると、回転駆動されるシャフトに刃部を備えた複数枚の回転刃プレートを所定の間隔で取り付けてなるロータを少なくとも２つ平行に配置し、一方のロータの回転刃プレートが他方のロータの回転刃プレート間に位置するようにし、上記ロータ上に投入された被破砕処理物を回転する回転刃プレートによって剪断又は破砕するように構成された破砕装置において、上記回転刃プレートの片側側面にエッジプレートを取り付けて、上記回転刃プレートのエッジプレートが取り付けられていない側においては回転刃プレートによる剪断又は破砕が行われ、上記回転刃プレートのエッジプレートが取り付けられている側においては回転刃プレートによる剪断又は破砕に加えて上記エッジプレートによる剪断又は破砕が行われるようにしたので、嵩比重の低いフィルム系処理物が多量に投入されても、回転ロータに大きな負荷が作用して停止、逆転を繰り返すといったことを防止し、それによって、装置としての可動率の低下を防止することが可能になる。
又、上記回転刃プレートのエッジプレートが取り付けられていない側においては、回転刃プレート同士間の隙間が比較的大きいので、異物混入時においてもこれを剪断することなく下方に通過・落下させることができ、通過量の減少、駆動負荷の増大といった問題を解消することができる。
又、回転刃プレートの片側側面のみにエッジプレートを取り付けるようにしているので、ロータディスクの両側面にサイドブレードを取り付けた場合の不具合、すなわち、サイドブレード間で異物を剪断しなければならないために異物混入時における通過量が減少してしまうという問題、駆動負荷が増大してしまうという問題、交換作業等の保守・点検作業に多くの労力と長い時間を要してしまうという問題、消耗品の数が増大することによるコスト的な問題、等を解消することができる。
又、エッジプレートが取り付けられていない側の比較的大きな隙間においては、回転刃プレートによって通常通りの剪断又は破砕が実行されると共に小片異物の剪断破砕を少なくして通過処理を増大させており、よって、従来の片サイドブレードタイプの破砕装置のように二段構成にする必要はなく、装置の大型化を誘発することもない。
又、上記対向・配置された少なくとも２つのロータにあって、一方のロータの回転刃プレートに取り付けられたエッジプレートと他方のロータの回転刃プレートに取り付けられたエッジプレートが摺接するように上記少なくとも２つのロータを逆向きに配置させるように構成した場合には、エッジプレート同士による剪断・破砕が可能になる。又、両ロータが共通部品となるのでコスト的にも好都合である。
又、上記エッジプレートにフック部を設けた場合には、回転刃プレートの刃分の基部の磨耗を低減させることができる。
又、上記エッジプレートに取付用雌螺子部を形成し、上記回転刃プレートに取付用貫通穴を形成し、上記取付用貫通孔にボルトを通して上記エッジプレートの取付用雌螺子部に螺合させることによりエッジプレートを締結・固定するように構成した場合には、エッジプレートの交換作業が容易になる。
又、上記エッジプレートを上記回転刃プレートの外周円筒面より僅かに突出させた状態で取り付けるように構成した場合には、回転刃プレートの摩耗を抑制することができる。
【発明を実施するための最良の形態】
【０００９】
以下、図１乃至図４を参照して本発明の一実施の形態を説明する。図１は本実施の形態による破砕装置の平面図であり、図２は図１のＩＩ−ＩＩ断面図である。まず、ケーシング１があり、このケーシング１は、図２に示すように、上側ケーシング３と下側ケーシング５とから構成されている。上記上側ケーシング３の上側には図示しない投入ホッパが取り付けられる。この投入ホッパを介して、被破砕処理物が投入されるものである。又、上記下側ケーシング５の下端開口部５ａからは破砕された被破砕処理物が図示しないベルトコンベア上に落下・排出される。
【００１０】
上記ケーシング１内には、第１ロータ７と第２ロータ９が平行に配置された状態で収容されている。上記第１ロータ７は次のような構成になっている。まず、ロータシャフト１１があり、このロータシャフト１１は、その両端を軸受部材１３、１５によって回転可能に支持されている。又、上記ロータシャフト１１の図１中右側には駆動手段としての油圧モータ１７がカップリング１８を介して連結されている。この油圧モータ１７によってロータシャフト１１は正転（図２中矢印ａ１方向）・逆転（図２中矢印ｂ１方向）するように構成されている。
【００１１】
上記ロータシャフト１１には複数枚の回転刃プレート１９と受刃群２１が交互に積層・配置されている。上記回転刃プレート１９は、図２に示すように、略円板状をなす回転刃プレート本体２３と、この回転刃プレート本体２３の周方向等間隔な３箇所において設けられた刃取付部２５と、これら３個の刃取付部２５の回転方向両側に夫々取り付けられた正転用刃２７と逆転用刃２９とから構成されている。
【００１２】
一方、受刃群２１であるが、図２に示すように、ロータシャフト１１の外周部に周方向等間隔に複数個（この実施の形態の場合には６個）の受刃３１が取り付けられた構成になっている。
【００１３】
上記回転刃プレート本体２３の一方の側面であって外周側位置にはエッジプレート４１が取り付けられている。すなわち、回転刃プレート本体２３の刃取付部２５と刃取付部２５との間に２個のエッジプレート４１、４１が取り付けられて、合計６個のエッジプレート４１が取り付けられているものである。
【００１４】
上記エッジプレート４１は、図３に示すような構成になっている。図３（ａ）に示すように、エッジプレート４１は円弧状をなしていて、その一端側にはフック部４３が形成されている。又、図４にも示すように、取付用雌螺子部４５が４箇所に形成されている。又、回転刃プレート本体２３側には上記４個の取付用雌螺子部４５に対応するように４個の取付用貫通孔が形成されている。そして、反エッジプレート４１側よりボルト４７を差し込んで反対側のエッジプレート４１の取付用雌螺子部４５に螺合することにより、エッジプレート４１を回転刃プレート本体２３に取付・固定するものである。又、上記エッジプレート４１には３箇所に凹部４６が形成されている。
【００１５】
又、上記エッジプレート４１を取り付ける場合には、エッジプレート４１の外周位置が、回転刃プレート本体２３の外周位置に対して、僅かに、例えば、１〜２  ｍｍ程度外方に突出させる状態で取り付けるものである。それによって、回転刃プレート本体２３の外周部の摩耗を抑制するものである。又、上記フック部４３を設けることによって、正転用刃２７と逆転用刃２９の基部が位置する刃取付部２５の摩耗を抑制するものである。
【００１６】
次に、第２ロータ９側の構成について説明する。この第２ロータ９の構成も既に説明した第１ロータ７側の構成と基本的には同じである。
まず、ロータシャフト５１があり、このロータシャフト５１は、その両端を軸受部材５３、５５によって回転可能に支持されている。又、上記ロータシャフト５１の図１中左側には駆動手段としての油圧モータ５７がカップリング５９を介して連結されている。この油圧モータ５７によってロータシャフト５１は正転（図２中符号ａ２で示す方向）・逆転（図２中符号ｂ２で示す方向）するように構成されている。
【００１７】
上記ロータシャフト５１には複数枚の回転刃プレート５９と受刃群６１が交互に積層・配置されている。上記回転刃プレート５９は、図２に示すように、略円板状をなす回転刃プレート本体６３と、この回転刃プレート本体６３の周方向等間隔な３箇所において設けられた刃取付部６５と、これら３個の刃取付部６５の回転方向両側に夫々取り付けられた正転用刃６７と逆転用刃６９とから構成されている。
【００１８】
一方、受刃群６１であるが、図２に示すように、ロータシャフト５１の外周部に周方向等間隔に複数個（この実施の形態の場合には６個）の受刃７１が取り付けられた構成になっている。
【００１９】
上記回転刃プレート本体６５の他方の側面（既に説明した第１ロータ７の回転刃プレート１９のエッジプレート４１が取り付けられている側）であって外周側位置にはエッジプレート４１が取り付けられている。すなわち、回転刃プレート本体２３の刃取付部２５と刃取付部２５との間に２個のエッジプレート４１、４１が取り付けられて、合計６個のエッジプレート４１が取り付けられているものである。
【００２０】
上記エッジプレート４１は、第１ロータ７側に取り付けられているエッジプレート４１と同じ構成をなすものである。そして、図４にも示すように、この第２ロータ９側のエッジプレート４１は、第１ロータ７側のエッジプレート４１に対向するように配置されていて、双方のエッジプレート４１、４１が摺接するように構成されているものである。
【００２１】
上記したように、第２ロータ９側のエッジプレート４１は、第１ロータ７側のエッジプレート４１に対向するように配置されていて、双方のエッジプレート４１、４１が摺接するように構成されていて、対向・配置されたエッジプレート４１、４１の摺接面の間隙（ｔ１）は、例えば、０．５〜１．０ｍｍ程度に設定されている。又、これに対して、反対側の回転刃プレート本体２３、６３相互の間隙（ｔ２）は、例えば、３〜５ｍｍに設定されている。隙間（ｔ２）側においては、双方の回転刃プレート１９、５１による剪断又は破砕が行われ、隙間（ｔ１）側においては、双方の回転刃プレート１９、５１による剪断又は破砕に加えて、双方のエッジプレート４１、４１に剪断又は破砕が行われるものである。
【００２２】
又、本実施の形態の場合には、第１ロータ７が高速ロータであり、又、第２ロータ９が低速ロータとなっていて、第２ロータ９の回転速度は第１ロータ７の回転速度より３分の２程度に遅く設定してある。又、第２ロータ９の刃先円は第１ロータ７の刃先円よりある程度小さく設定されている。又、第１ロータ７の正転用刃２７は軸方向に順次その位置がずれており、それを線で結ぶと「Ｗ字型」をなすように設定されている。これは、逆転用刃２９についても同様である。又、第２ロータ９についても同じであり、正転用刃６７、逆転用刃６９の位置は軸方向に順次ずれていて、「Ｗ字型」をなすように設定されている。
【００２３】
以上の構成を基にその作用を説明する。
まず、図示しない制御盤の運転開始スイッチを投入すると、第１ロータ７と第２ロータ９が回転する。その回転方向は正転方向（ａ１、ａ２方向）である。その状態で、被破砕処理物を図示しない投入ホッパを介して破砕装置内に投入する。投入された被破砕処理物は、第１ロータ７と第ロータ９上に落下・堆積し、第１ロータ７側の正転用刃２７と第２ロータ９側の正転用刃６７によって、第１ロータ７と第２ロータ９との間の隙間へ運ばれる。
【００２４】
その際、被破砕処理物は、主として、第１ロータ７側の正転用刃２７と第２ロータ９側の正転用刃６７とによって剪断又は破砕される。又、補助的に、第１ロータ７側の正転用刃２７と第２ロータ９側の受刃７１、第２ロータ９側の正転用刃６７と第１ロータ７側の受刃３１によって剪断・破砕される。剪断、破砕された被破砕処理物は、破砕装置の下方に配置された図示しないコンベアによって別の場所へ搬送される。
【００２５】
その際、第１ロータ７と第２ロータ９との間に被破砕処理物が挟まって、第１ロータ７と第２ロータ９の回転が阻止された場合には、第１ロータ７と第２ロータ９を逆転させる（図２中矢印ｂ１、ｂ２で示す方向）。それによって、挟まれた被破砕処理物を上方に逃がし、タイミングを見て正転に戻す。
尚、逆転の場合には、第１ロータ７側の逆転用刃先２９、第２ロータ９側の逆転用刃６９、第１ロータ７側の受刃３１、第２ロータ９側の受刃７１によって被破砕処理物の剪断や破砕が実行される。
【００２６】
又、本実施の形態の場合には、第１ロータ７の回転刃プレート１９、第２ロータ９の回転刃プレート５９に夫々エッジプレート４１が取り付けられているので、該エッジプレート４１による剪断・破砕効果も期待できる。
【００２７】
又、第２ロータ９の回転速度は第１ロータ７の回転速度より３分の２程度に遅くしてあるので、油圧モータ１７、５７への作動油の吐出圧力を変えなくても、被破砕処理物を剪断又は破砕する力は第２ロータ９の方が強い。又、第２ロータ９の刃先円は第１ロータ７の刃先円よりある程度小さく設定されているので、刃先の周速度は第２ロータ９の方が遅くなり、その分、刃先の破砕力は第２ロータ９の方が強くなる。よって、第２ロータ９は、比較的硬質の物や大型の物を剪断破砕するのに適し、第１ロータ７は比較的軟質の処理物を高速で能率良く処理するので、単一の破砕装置で、質やサイズの違いを選ばずに様々な処理物を同時に剪断、破砕することができる。
【００２８】
又、第１ロータ７、第２ロータ９は、「Ｗ字形」の連続したパターンを為す正転用刃２７、６７、逆転用刃２９、６９が被破砕処理物に食い込むようにこれをしっかり捕らえて運ぶ作用もある。特に、「Ｗ字形」の連続したパターンを為す正転用刃２７、６７、逆転用刃２９、６９は、第１ロータ７、第２ロータ９において軸方向に沿って延長されていて、第１ロータ７側と第２ロータ９側とで左右対称になっているため、第１ロータ７側、第２ロータ９側の刃先が捕らえた処理物を横方向へ逃がすこと無く、安定して運ぶことができる。従って、回転に無駄が少なくなって、処理作業が能率良く行われる。
【００２９】
又、Ｗ字形の連続したパターンを為す正転用刃２７、６７、逆転用刃２９、６９は、回転方向における位相が交互にずれているため、刃先が運ぶ被破砕処理物を全て同時に剪断するのでは無く、時間差をおいて剪断する。従って、油圧モーター１９、５９第１ロータ７、第２ロータ９を回転させる駆動力は、同時的には２乃至３個の刃先による剪断のために働くので、刃先の破砕力を非常に強いものにすることができる。
【００３０】
又、第２ロータ９のポケットはかなり大きいので、自転車や洗濯機、冷蔵庫など大型の処理物は必然的にこのポケットに収まって運ばれる。そして、このポケットを持つ第２ロータ９の刃先の破砕力は第１ロータ７側の破砕力より強いので、それら大型の処理物をより確実に破砕できる。
【００３１】
以上本実施の形態によると次のような効果を奏することができる。
まず、回転刃プレート１９、５９の片面側にエッジプレート４１、４１を取り付けて、該エッジプレート４１、４１によっても剪断又は破砕するように構成したので、嵩比重の低いフィルム系処理物が多量に投入されても、回転ロータに大きな負荷が作用して停止、逆転を繰り返すといったことを防止し、それによって、装置としての稼動率の低下を防止することが可能になる。
又、第１ロータ７側のエッジプレート４１と第２ロータ９側のエッジプレート４１が摺接するように対向・配置されているので、エッジプレート４１、４１同士による剪断・破砕が可能になる。
又、第１ロータ７側と第２ロータ９側は向きが逆向きになっているだけで共通部品となっているので、コスト的にも好都合である。
又、この実施の形態の場合には、回転刃プレート１９、５９の片面のみにエッジプレート４１、４１を取り付けるようにしているので、従来のように、ロータディスクの両側面にサイドブレードを取り付けた場合の不具合を解消することができる。すなわち、異物混入時における通過量が減少してしまうという問題、駆動負荷が増大してしまうという問題、交換作業等の保守・点検作業に多くの労力と長い時間を要してしまうという問題、消耗品の数が増大することによるコスト的な問題、等を解消することができる。
又、この実施の形態の場合には、エッジプレート４１、４１が取り付けられていない側の隙間においては、回転刃プレート１９、５１による通常通りの剪断又は破砕が行われており、よって、従来の片サイドブレードタイプの破砕装置のように二段構成にする必要はなく、装置の大型化を誘発することもない。
又、エッジプレート４１に立上がりフック部４３を設けたので、回転刃プレート１９、５９の磨耗を防止することができる。
又、上記エッジプレート４１に取付用雌螺子部４５を形成し、上記回転刃プレート１９、５９に取付用貫通穴を形成し、上記取付用貫通孔にボルト４７を通して上記エッジプレート４１の取付用雌螺子部４５に螺合させることによりエッジプレートを締結・固定するように構成したので、エッジプレート４１の交換作業が容易になる。
又、上記エッジプレート４１を上記回転刃プレート１９、５９の外周円筒面より僅かに突出させた状態で取り付けるように構成したので、回転刃プレート１９、５９の摩耗を抑制することができる。
【００３２】
尚、本発明は前記一実施の形態に限定されるものではない。
まず、前記一実施の形態の場合には、２つのロータを対向・配置させた構成の破砕装置を例に挙げて説明したが、３つ以上のロータによって構成された破砕装置にも適用可能である。
前記一実施の形態ではエッジプレート同士を摺接させるように構成したが、交互に配置するようにしてもよい。
【産業上の利用可能性】
【００３３】
本発明は、嵩比重の低いフイルム系処理物が多量に投入された場合であっても、円滑な破砕動作が行われるように工夫した破砕装置に関するものである。
【図面の簡単な説明】
【００３４】
【図１】本発明の一実施の形態を示す図で、破砕装置の平面図である。
【図２】本発明の一実施の形態を示す図で、図１のＩＩ−ＩＩ断面図である。
【図３】本発明の一実施の形態を示す図で、図３（ａ）はエッジプレートの正面図、図３（ｂ）は図３（ａ）のｂ−ｂ断面図、図３（ｃ）は図３（ａ）のｃ−ｃ断面図である。
【図４】本発明の一実施の形態を示す図で、図１の一部を拡大して示す断面図である。
【符号の説明】
【００３５】
１  ケーシング
３  上側ケーシング
５  下側ケーシング
７  第１ロータ
９  第２ロータ
１１  ロータシャフト
１３  軸受部材
１５  軸受部材
１７  油圧モータ
１９  回転刃プレート
２１  受刃群
２３  回転刃プレート本体
２５  刃取付部
２７  正転用刃
２９  逆転用刃
４１  エッジプレート
４３  立上がりフック部
４５  取付用雌螺子部
５１  ロータシャフト
５３  軸受部材
５５  軸受部材
５７  油圧モータ
５９  回転刃プレート
６１  受刃群
６３  回転刃プレート本体
６５  刃取付部
６７  正転用刃
６９  逆転用刃
【図１】
2005230636.tif 000003
【図２】
2005230636.tif 000004
【図３】
2005230636.tif 000005
【図４】
2005230636.tif 000006